(57)【要約】【課題】従来の接木育苗方法による場合、根の張りが悪く、その後の生育の悪い軟弱な苗が多く育っていた。【解決手段】根付き台木に穂木を接木した接木苗を複数本まとめてミスト用具にセットし、ミスト用具にセットした接木苗を裸根のまま又は根が空気に触れる程度の少量の土を根に掛けた状態で人工ミスト空間又は保温性、保湿性のあるフィルムを用いた天然ミスト空間内に設置し、そのミスト空間内を台木と穂木の接合部分の活着及び、発根を促進させ接木苗を徒長させない温度と湿度と照度のミスト状態にし、そのミスト状態を数日間保ち、接合部分が活着し、発根した接木苗を生産する。その接木苗を１本又は数本まとめて保水材を備えた馴化用具にセットし、接木苗のセットされた馴化用具を人口馴化空間又は通気性、吸湿性、透湿性のあるフィルムを用いた天然馴化空間内に置き、その接木苗に数日間陽光をあてて接木苗を馴化させる。【選択図】      図２
2005013100.tif 000002
【特許請求の範囲】
【請求項１】
根付き台木に穂木を接木した接木苗を複数本まとめてポット、トレー等のミスト用具にセットし、ミスト用具にセットした接木苗を裸根のまま又は根が空気に触れる程度の少量の土を根に掛けた状態でミスト空間内に設置し、そのミスト空間内を台木と穂木の接合部分の活着を促進させ発根を促進させ接木苗を徒長させない温度と湿度と照度のミスト状態にし、そのミスト状態を数日間保って、接合部分が活着し、発根した接木苗を生産することを特徴とする接木苗生産方法。
【請求項２】
請求項１記載の接木苗生産方法において、ミスト空間が人工的にミスト状態を作り出すことのできる人工ミスト空間、又はミスト用具にセットした接木苗をミスト用具ごと設置する保温床の上方を保温性、吸湿性のある内側フィルムで被覆し、内側フィルムの外側にそれとの間に空間をあけて保温性、吸湿性のある外側フィルムによりトンネルを形成することにより、保温床から蒸発する水分、トンネルの外の太陽熱といった自然環境によりミスト状態が作り出されるようにした天然ミスト空間であり、それらミスト空間内に、ミスト用具にセットした接木苗を設置して、接合部分が活着し、発根した接木苗を生産することを特徴とする接木苗生産方法。
【請求項３】
請求項１又は請求項２記載の接木苗生産方法により接木苗を生産し、その接木苗を１本又は数本まとめて保湿材を備えた馴化用具にセットし、接木苗のセットされた馴化用具を馴化空間内に置き、その接木苗に数日間陽光をあてて接木苗を馴化させることを特徴とする接木苗生産方法。
【請求項４】
請求項３記載の接木苗生産方法において、馴化空間が人工的に作り出すことのできる人口馴化空間、又は、馴化用具をセットした育苗床の上方を通気性、吸湿性、透湿性のあるフィルムで被覆して馴化に適した環境が自然環境により作り出されるようにした天然馴化空間であり、それら馴化空間で馴化させることを特徴とする接木苗生産方法。
【発明の詳細な説明】
【０００１】
【発明の属する技術分野】
本発明は植物の接木苗生産方法に関し、ミスト空間において接木苗の接合部の活着、発根を促進し、更には、その接木苗を馴化させることもできるようにした方法である。
【０００２】
【従来の技術】
現在、接木苗の生産方法には、根の付いた台木と穂木とを接合する根付き接木方法と、根を切った台木と穂木とを接合する断根接木方法とがあり、作業の容易性の面から断根接木方法が普及している。断根接木方法では、接木した苗を一本ずつ培土に挿し込み、それを温度、湿度等を調節可能なミスト室に入れて高温多湿状態（ミスト状態）の環境下に８〜１０日間置いて、台木と穂木の接合部の活着や初期の発根などを促進させている。活着及び発根の完了した苗はポットに一本ずつ植えて出荷している。
【０００３】
【発明が解決しようとする課題】
従来の断根接木方法は次のような課題があった。
（１）断根接木方法の場合、台木胚軸の切断部分からの発根は良いが、畑に植え付けた後の根群は細根が多く太根がないため、根群の張りが浅くなり、肥料成分の吸収力が劣り、苗が軟弱になりやすく施肥量が多く必要になる。また、苗のその後の成長も思わしくない。
（２）穂木の胚軸の空洞問題や、切断部のカルス形成と、初期の発根などが遅れ易いため、接木後のミスト状態に置く期間が８〜１０日間と長くなり、軟弱徒長の苗となり、病害の発生原因となることが多い。
（３）ミスト状態を確保するために、ミスト室のような大掛かりな設備が必要となり、設備導入費が高く、導入が難しい。
（４）接木した苗を活着及び発根させるために、苗を一本ずつポットに入れているため作業が面倒であり、苗の生産効率が悪い。接木苗の数が多くなるとポットを並べるために広いスペースが必要となる。
（５）ポットごと出荷するので輸送にスペースをとり、輸送効率が悪く、苗一本当たりの輸送コストが高くなる。
【０００４】
従来の根付き接木方法は次のような課題があった。
（１）根が付いているため断根接木方法に比して成長は早いが、根に土が付いているので接木作業中に衣類に土が付いたり、土で作業場が汚れたりし易い。
（２）接木した苗を培土に植え付けて活着及び発根をさせるため、発根量が少なく、苗が軟弱となりやすい。また、その後の苗の成長も思わしくない。
（３）従来の断根接木方法の課題における前記（２）〜（５）に記載の課題と同様の課題があった。
【０００５】
根付き接木方法でも、断根接木方法でも、専用のミスト室を必要としたため、ミスト室の無い農家では、従来方法による接木が困難であった。
【０００６】
【課題を解決するための手段】
本件出願の請求項１記載の接木苗生産方法は、根付き台木に穂木を接木した接木苗を複数本まとめてポット、トレー等のミスト用具にセットし、ミスト用具にセットした接木苗を裸根のまま又は根が空気に触れる程度の少量の土を根に掛けた状態でミスト空間内に設置し、そのミスト空間内を台木と穂木の接合部分の活着を促進させ発根を促進させ接木苗を徒長させない温度と湿度と照度のミスト状態にし、そのミスト状態を数日間保って、接合部分を活着させ、発根組織部分に酸素を供給することにより発根量を増加させた、健康で生育の良い接木苗を生産する方法である。
【０００７】
本件出願の請求項２記載の接木苗生産方法は、請求項１記載の接木苗生産方法において、ミスト空間が人工的にミスト状態を作り出すことのできる人工ミスト空間、又はミスト用具にセットした接木苗をミスト用具ごと設置する保温床の上方を保温性、吸湿性のある内側フィルムで被覆し、内側フィルムの外側にそれとの間に空間をあけて保温性、吸湿性のある外側フィルムによりトンネルを形成することにより、保温床から蒸発する水分、トンネルの外の太陽熱といった自然環境によりミスト状態が作り出されるようにした天然ミスト空間であり、それらミスト空間内に、ミスト用具にセットした接木苗を設置して、接合部分が活着し、発根した接木苗を生産する方法である。
【０００８】
本件出願の請求項３記載の接木苗生産方法は、請求項１又は請求項２記載の接木苗生産方法により生産した接木苗を、１本又は数本まとめて保湿材を備えた馴化用具にセットし、接木苗のセットされた馴化用具を馴化空間内に置き、その接木苗に数日間陽光をあてて接木苗を移植後の育成環境に馴化できるようにした接木苗を生産する方法である。
【０００９】
本件出願の請求項４記載の接木苗生産方法は、請求項３記載の接木苗生産方法において、馴化空間が馴化に適した環境が人工的に作り出すことのできる人口馴化空間、又は、馴化用具をセットした育苗床の上方を通気性、吸湿性、透湿性のあるフィルムで被覆して馴化に適した環境が自然環境により作り出されるようにした天然馴化空間であり、それら馴化空間で移植後の育成環境に馴化できるようにした接木苗を生産する方法である。
【００１０】
【発明の実施の形態】
（実施形態１）
本発明の接木苗生産方法の実施形態の一例を図１〜図４を参照して説明する。本発明の接木育苗方法はナス科、ウリ科といった各種科の接木苗を生産することができるものである。以下に示す数値は一例であり、必ずしもこの数値に限られるものではない。
【００１１】
（接木準備）
１．図１（ｂ）に示すような台木用の幼苗と、同図（ａ）に示すような穂木用の幼苗とを育成する。この場合、強健で萎凋しにくい台木用の幼苗と穂木用の幼苗とを育成するために、根群の生育を容易にコントロールできる容器と無病の培土を利用して播種することが望ましい。
２．これら幼苗は陽光に十分にあて、育苗温度を調節しながら、台木、穂木として十分に成長するよう育苗管理をする。
【００１２】
（台木、穂木の用意と接木苗作り）
１．台木用の幼苗を培土から抜き取って、図１（ｂ）に示すように根群に付着している培土を細根と共に除去し、根群の主根と一次根の主要部分を残す。同図（ａ）に示す穂木用の幼苗２も培土から抜き取っておく。例えば、台木用の幼苗１にはユウガオを、穂木用の幼苗２にはスイカを用いることができる。幼苗の種類は任意であってこれらに限られるものではない。
２．図１（ｂ）に示す台木用の幼苗１の生長点３を摘除して、図１（ｄ）に示すように子葉４を残した台木用の幼苗１とする。この台木用の幼苗１の胚軸５に子葉４の表側から接木棒４０を斜めに挿し込んで穂木差し込み孔６をあけて根付きの台木８を用意する。穂木差し込み孔６は胚軸５を貫通してもよい。
３．図１（ｃ）に示すように穂木用の幼苗２の胚軸９を斜めに切断して穂木１０を用意する。
４．図１（ｅ）に示すように、穂木１０をその切断面１１を下にして台木８の穂木差し込み穴６に子葉下部まで挿し込んで図１（ｆ）に示すような根付きの接木苗１２とする。
【００１３】
（ミスト環境内での活着・発根）
１．図２のように前記根付きの接木苗１２を複数本まとめて（十本前後一束にして）トレー１３の上の育苗ポット（ミスト用具）１４に入れる。この場合、ミスト用具１４の底に、培土や、ミズゴケ、バーミキュライト等の保湿性に優れた保湿材１５を入れておき、保湿材１５に縦穴１６をあけておき、その中に接木苗１２を根１７を下にして入れて茎をミスト用具１４の周壁に立て掛けるようにセットする。この場合、根１７は裸のまま（裸根）にして空気に触れるようにしておくか、培土を少しだけ被せて根１７が外部に露出して空気に触れるようにしておく。ミスト用具１４には既存の軟質軟樹脂製の育苗ポットを使用するのが適するが、プラグトレイや栽培用ベッドといった任意の容器を使用することもできる。保湿材１５は根の乾燥を防止するためのものであり、吸水性、保湿性のあるものであれば、上記のものに限らず、ウレタン等であってもよい。保湿材１５には水をまいて十分に湿らせておく。
２．前記のように接木苗１２をセットしたミスト用具１４が並んでいるトレー１３を保温床１９の上に設置する。保温床１９は、例えば、土中にヒータ線を張り、その上から保温用のビニールシートをかけたものや、土中に湯を循環させるパイプを配管したもの等であり、地表を２５〜３０度程度の温暖な気温に保つことが出来るものであれば、任意のものとすることが出来る。
３．保温床１９の上にトレー１３ごと設置した接木苗１２の上方に、保温性、保湿性及び通気性のある内側フィルム２２を被せて、その内側にミスト空間２３を作る。前記保温性は内側フィルム２２で被覆されたミスト空間２３内を保温する特性、前記保湿性はミスト空間２３内を保湿する特性、前記通気性は前記ミスト空間２３内の空気を外部に通し、外部の空気をミスト空間内に通す特性である。そのような特性を備えた内側フィルム２２には、例えば、株式会社みかど育種農場の商品名「ダングロー」が適する。
４．内側フィルム２２の外側に空間をあけて外側フィルム２４を被せてトンネル２５を作る。外側フィルム２４にはトンネル２５内に自然光を採光できる性質のもの、保温性のあるものが使用される。寒冷期の場合、外気温に応じて外側フィルム２４を二重にしたり、外側フィルム２４の上から更に保温マットを掛ける等してトンネル２５内およびミスト空間２３内の温度を高めるようにすることもできる。
５．ミスト空間２３内をミスト状態（高温多湿の霧状）にして、台木８と穂木１０との接合部分２１（図１（ｆ））を活着させ、細根の発根を促す。活着は前記接木苗１２の接合部分２１のカルスの癒合と導通組織の再分化結合を含む広い意味合いである。
６．ミスト状態にするためには、保温床１９の熱とトンネル２５内に採光される太陽光の熱とにより、ミスト空間２３内の温度を上昇させ（２５〜３０度）て、ミスト用具１４内の保湿材１５を暖め、保湿材１５から水蒸気を発散させる。発生した水蒸気は保湿性を有する内側フィルム２２により保湿されてミスト空間２３内に充満し、ミスト空間２３内がミスト状態となる。ミスト空間２３内の湿度は９０〜１００％が適する。このミスト状態は自然環境を利用して作り出される天然のミスト空間である。ミスト空間２３内の接木苗１２には日中は自然光が当たるようにする。自然光を採光することによってミスト空間２３内を上記温度に保つことが可能なときは保温床１９を加温する必要がない。
７．接木苗１２を上記の温暖なミスト状態に３日〜５日間置くと、台木１と穂木２との接合部が活着し、主根と一次根から多数本の新根が発根する。
８．前記ミスト空間２３内で活着・発根の終えた接木苗（活着・発根済み接木苗）は、出荷容器（ダンボール箱など）に詰めて出荷することもできるが、馴化してから出荷することもできる。馴化する場合は次のようにして行なうことができる。
【００１４】
（馴化）
前記ミスト空間２３内で活着・発根の終えた接木苗（活着・発根済み接木苗）は、図３に示す馴化空間３８内において以下のようにして馴化させる。
１．図３に示すようにトレー３１に並べた育苗用ポット（馴化容器）３２内に保湿材３３を入れ、その保湿材３３に水を散布して保湿材３３を十分に湿らせる。図３の馴化容器３２は前記育苗ポットと同様のものであるが、プラグトレイや他の形状のポットとすることができる。
２．馴化容器３２内の保湿材３３に前記活着・発根済み接木苗３４を１本ずつ植える。
３．トレー３１を保温床３５の上に設置する。保温床３５は図２の保温床１９と同様に内部にヒータとか温水管が配管されているものであり、地表を２５〜３０度程度の温暖な気温に保つことが出来るものである。
４．馴化容器３２の外周に円弧状に支柱３６を作り、その支柱３６の外周に通気性、吸湿性、透湿性のあるフィルム３７を張ってトンネルを作り、その内部を馴化空間３８とし、その内部に活着・発根済み接木苗３４が収容されるようにしてある。馴化空間３８内に収容された活着・発根済み接木苗３４に自然光が供給できるようにするため、フィルム３７は自然光を採光できるもの、即ち、光線透過性のあるものとする。前記特性を有するフィルム３７には株式会社みかど育種農場製の商品名「タフツーキ」とか、他社の同種のシートが適する。「タフツーキ」は図４のように天井部がネット３９になっていて、そこから内部の熱気が逸散できるようになっていて高温障害を防止でき、換気作業の省力化が可能なものである。また、吸湿性、透湿性があるため馴化空間３８内の湿気を吸収して外部に透湿させて馴化空間３８内の過湿を防止できるものである。
５．馴化空間３８内を２５〜３０度に保つと、馴化用具３２内の保湿材３３が暖められ、保湿材３３から水蒸気が発散するが、過度の水蒸気は吸湿性及び透湿性を有するフィルム３７に吸収され、フィルム３７を通して外部に放出されるためトンネル内の過湿が防止される。トンネル内の湿度は６０〜７０％が適する。また、馴化のためには、日中、トンネル内の接木苗７に自然光が当たるようにする。日中、自然光を採光することによって馴化空間３８内を上記温度に保つことが可能な場合は、保温床３５を加温しないでおくことも可能である。寒冷期の場合はフィルム３７を二重にしたり、そのフィルム３７の上に保温マットをかける等して馴化空間３８内を上記温度に保つようにすることもできる。
６．活着・発根済み接木苗３４を２〜３日間、上記の馴化空間内野馴化環境内に置くと、接木苗３４は馴化して丈夫な二次根が多数発根し、全体が硬く、しっかりとした健苗となる。
７．馴化用具３２内の保湿材３３は培土、ウレタン、ミズゴケ、バーミキュライト等の吸水性、保湿性のあるものが適する。接木苗３４の根を保湿材３３内に植えなくとも根を十分に保湿することが可能であれば、接木苗３４は図２のように馴化用具３２内の保湿材３３に孔をあけておき、その孔に接木苗３４を入れて立てかけて、根が空気に十分触れるようにして馴化を行うこともできる。根に土を掛ける場合であっても保湿材３３の量を少なくして根が保湿材３３から外部に露出するようにして、根８が空気に触れるようにして馴化を行うこともできる。
【００１５】
（馴化完了後）
馴化の完了した接木苗３４は馴化用具３２の保湿材３３から抜いて根の土を落としてから、内部に保湿材を敷く等して保湿状態とした箱の中に順次立て掛けて詰めて発送することができる。
【００１６】
（実施形態２）
本発明の接木苗生産方法の他の実施形態を以下に説明する。この実施形態の接木苗生産方法の基本的構成は前記実施形態１の接木苗生産方法と共通するが、実施形態１と異なるのは、図２のようなフィルムを使用してミスト環境を作り出すのではなく、人工的にミスト環境を作り出すことができるミスト装置を使用することである。接木苗を生産する企業の工場には、通常はこの種のミスト装置が備えられている。この実施形態ではそのミスト装置のミスト室内に接木苗を置いて、接木苗の接合部の活着、発根を促進するようにしてある。
【００１７】
この実施形態の馴化方法の基本的構成は前記実施形態１の接木苗生産方法と共通するが、実施形態１と異なるのは、図３のようなフィルムを使用して馴化環境を作り出すのではなく、人口的な馴化装置を使用して馴化環境を作り出し、その環境の中で馴化させる用意をしたことである。
【００１８】
【発明の効果】
本件出願の第１の植物の接木育苗方法には次のような効果がある。
（１）根付き台木を用いて接木をするため、接木苗を畑に植え付けた後に、従来の断根接木方法による場合よりも大幅に土中深くに根を張ることができ、全体的に根張りがよく健康で強い苗となり、その後の苗の成長も従来の断根接木方法による場合よりも良く、作物の歩留まりも良い。また、肥料成分の吸収がよく施肥量も少なくなり、コスト減にも資する。
（２）接木苗の接合部の活着が促進されるだけではなく、接木苗の根も温暖で湿度の高い空気に触れるため、発根量も従来の根付き接木方法による場合よりも大幅に多くなり、上記同様、全体的に根張りがよく健康で強い苗となり、その後の苗の成長及び作物の歩留まりも良くなる。また、保湿床に置いた接木苗を土に一本一本埋める作業が必要なく、作業を簡略化できる。
（３）接木苗を複数本まとめてミスト用具へセットするので、活着・発根のために、広いスペースを必要としないため、より多くの接木苗を同時に活着・発根させることができ、苗の生産効率がよくなる。
（４）土付きでなく、裸根の状態で接合部分が活着し、発根した接木苗を生産することができるので、この段階で、出来上がった接木苗の根の部分を保湿状態にして、出荷容器（冬季は発泡スチロール等を、夏季はダンボール箱等を用いる。）に詰めて出荷することもできる。その場合は、苗を一本ずつポットに入れないため一箱当たりの苗数が大幅に増大し、輸送コストを大幅に削減することが出来る。
（５）果菜類栽培農家の場合、本発明の接木苗生産方法で生産した接木苗を購入し、鉢植えするだけで、発根量の多い健康な苗が得られるため、果菜類栽培農家のコスト減にも資する。
（６）土を用いないで活着・発根を行うことができるので、接木苗育成に必要な培養土のコストを減少させることができる。
【００１９】
本件出願の第２の植物の接木育苗方法には、上記効果に加えて次のような効果がある。
（１）ミスト空間が人工的にミスト状態を作り出すことのできる人工ミスト空間、又はミスト用具にセットした接木苗をミスト用具ごと設置する保温床の上方を保温性、吸湿性のある内側フィルムで被覆し、内側フィルムの外側にそれとの間に空間をあけて保温性、吸湿性のある外側フィルムによりトンネルを形成することにより、保温床から蒸発する水分、トンネルの外の太陽熱といった自然環境によりミスト状態が作り出されるようにした天然ミスト空間であるため、専用のミスト室の無い農家であっても苗の接木を容易に行うことができる。また、接木苗の生産コスト減に資する。
（２）温度、湿度を調節可能なミスト室に接木苗を入れる場合であっても、上記のように接木苗を複数本まとめて保湿床へ置くので、同じミスト室を用いてより多くの接木苗を作ることができ、接木苗を大量に生産することができる。
【００２０】
本件出願の第３の植物の接木育苗方法には、上記効果に加えて次のような効果がある。
（１）その接木苗を１本又は数本まとめて保水材を備えた馴化用具にセットし、接木苗のセットされた馴化用具を馴化空間内に置き、その接木苗に数日間陽光をあてて接木苗を馴化させるので、外気に強い健康な苗を作ることができる。また、強い苗が育つので、培土ごと出荷する必要がなく、一箱あたりの苗数を多くすることができ、輸送コストを少なくすることができる。
【００２１】
本件出願の第４の植物の接木育苗方法には、上記効果に加えて次のような効果がある。
（１）馴化空間が人工的に作り出すことのできる人口馴化空間、又は、馴化用具をセットした育苗床の上方を通気性、吸湿性、透湿性のあるフィルムで被覆して馴化に適した環境が自然環境により作り出されるようにした天然馴化空間であり、それら馴化空間で馴化させるので、専用の馴化室の無い農家であっても苗の接木を容易に行うことができる。また、接木苗の生産コスト減に資する。
【図面の簡単な説明】
【図１】（ａ）〜（ｆ）は、本発明の植物の接木育苗方法の一部である接木段階の様子を段階的に示したものである。
【図２】本発明の植物の接木育苗方法の一部である活着・発根段階に用いる設備の断面説明図。
【図３】本発明の植物の接木育苗方法の一部である馴化段階に用いる設備の断面説明図。
【図４】本発明の植物の接木育苗方法の実施に用いるフィルムの一例（「タフツーキ」）を示す説明図。
【符号の説明】
８  台木
１０  穂木
１２  接木苗
１４  ミスト用具
１５  保湿材
１７  根
１９  保温床
２２  内側フィルム
２３  ミスト空間
３２  馴化容器
３３  保湿材
３５  保温床
３７  フィルム
３８  馴化空間
【図１】
2005013100.tif 000003
【図２】
2005013100.tif 000004
【図３】
2005013100.tif 000005
【図４】
2005013100.tif 000006